(57)【特許請求の範囲】
【請求項１】
開閉自在の蓋により密閉されるゴミ容器本体の底部に、排水誘導溝を形成し、該誘導溝の末端部に上端に具えた側壁の欠除部を連続させて下端を開放した固定筒部をゴミ容器本体と一体に縦に形成し、この固定筒部に、外周面を固定筒部の内周面に密着させて上部に側壁の欠除部を設けた回転筒体を嵌合し、この回転筒体の回動操作により、上記固定筒部の側壁の欠除部を該回転筒体上部の欠除部に開閉させるように構成するとともに、該回転筒体の下端にゴム栓を着脱自在に嵌着してなるゴミ容器。
【請求項２】
前記蓋は、前記ゴミ容器本体の上縁に気密に嵌合する環状の嵌着縁を有して、中央部に逆円錐台形の嵌合部を環状に具えた本蓋と、周縁に、上記本蓋の嵌合部に内接する逆円錐台形の環状縁を具えた開閉蓋との組み合わせからなり、前記回転筒体は、下部の一側に、開閉操作用のハンドルを設けたことを特徴とする請求項１のゴミ容器。
【発明の詳細な説明】
【０００１】
【発明の属する技術分野】
この発明は、主として家庭内で排出される生ゴミを開閉自在の蓋により密閉される密閉型のゴミ容器内に収容し、該容器内に堆積させたゴミを肥料に変えられるようにしたことを特長とするゴミ容器に関する。
【０００２】
【従来の技術】
従来のゴミ容器は、一般にペール型のものが用いられている。また、コンポストのように、下面を開放した蓋付きの容器を地表に設置して、容器内に堆積させたゴミを下部から順次肥料化させるようにしたものもある。
【０００３】
【発明が解決しようとする課題】
ゴミを肥料化させるコンポストには、容器を据え付ける土地が必要なので、例えば高層の共同住宅に住む家庭等では使用できないという問題がある。
一方で社会的な情勢として家庭内でのゴミの少量化処理が望まれるようになっており、そのために、設置場所を選ばずにゴミを肥料化できるゴミ容器を開発することが解決すべき課題となっている。
【０００４】
【課題を解決するための手段】
そこで本発明は、開閉自在の蓋により密閉されるゴミ容器本体の底部に、排水誘導溝を形成し、該誘導溝の末端部に上端に具えた側壁の欠除部を連続させて下端を開放した固定筒部をゴミ容器本体と一体に縦に形成し、この固定筒部に、外周面を固定筒部の内周面に密着させて上部に側壁の欠除部を設けた回転筒体を嵌合し、この回転筒体の回動操作により、上記固定筒部の側壁の欠除部を該回転筒体上部の欠除部に開閉させるように構成するとともに、該回転筒体の下端にゴム栓を着脱自在に嵌着してなるゴミ容器を提供するものである。
【０００５】
本発明は、蓋により密閉される容器本体内で、生ゴミから滲出する汚水分を自然分離して排水誘導溝内に滞留させて、適宜に回転筒体を操作して外部に汚水のみを排除させつつゴミの堆肥化を図るようにしたので、設置場所を選ばずに無臭化の中でゴミの少量化処理ができ通常のゴミ容器とほぼ同様の使用ができる。
本発明は、以上のようにして前記の課題を解決したものである。
【０００６】
また、本発明は、容器本体を密閉する前記蓋として、ゴミ容器本体の上縁に気密に嵌合する環状の嵌着縁を有して、中央部に逆円錐台形の嵌合部を環状に具えた本蓋と、周縁に、上記本蓋の嵌合部に内接する逆円錐台形の環状縁を具えた開閉蓋とを組み合わせることにより、日常的に生ずるゴミを投入するときは開閉蓋のみを開閉して投入し、逆円錐台形の嵌合部と環状縁との接合により、臭いの発散を最小限に止めるとともに、投入の都度の蓋の開閉操作を容易にし、使用上の煩瑣さを解消することができる。
【０００７】
また、本発明は、前記回転筒体の下部の一側に、開閉操作用のハンドルを設けることにより、排水誘導溝内に滞留する汚水のより衛生的な排出作業を行うことができる。
【０００８】
【発明の実施の形態】
図１に示すように、本発明ゴミ容器Ａは、開閉自在の蓋２により気密に密閉されるゴミ容器本体１と、容器本体１の底部に形成した排水誘導溝３と、誘導溝３の末端部３’に、上端の側壁に設けた欠除部４’を連続させてゴミ容器本体１と一体に縦に形成した固定筒部４と、固定筒部４の内周面に外周面を密着させて回転自在に嵌合し、上端に、固定筒部４の欠除部４’を開閉するように側壁５”に欠除部５’を設けた回転筒体５と、回転筒体５の開放された下端に着脱自在に嵌着するゴム栓６とを有する。
【０００９】
本発明ゴミ容器Ａは、図２の(a) に示すように、回転筒体５の欠除部５’が固定筒部４の側壁４”側に完全に回り込んでいるとき、回転筒体５側の側壁５”により欠除部４’を同図中矢印に示すように遮断され、排水誘導溝３内及びゴミ容器本体１内の汚水が滞留状態を維持する。
また、図２の(b) に示すように、回転筒体５の側壁５”が固定筒部４の側壁４”に二重に重ね合わされて固定筒部４の欠除部４’と回転筒体５の欠除部５’を一致させると、排水誘導溝３は全開して、ゴミ容器本体１内の汚水を回転筒体５内に流下させ、その前にゴム栓６の開放と入れ替わりに配置した図示省略の受け容器内または回転筒体５に接続したホースに排出させることができる。
【００１０】
【実施例】
ゴミ容器本体１は円筒形で、開放した上縁に環状の突条７と提げ手の取付け部８を設け、下部に円筒形の一部をカットした載置台部９を一体成形したプラスチック製で、図１に示されるように固定筒部４と回転筒部５は、カットした載置台部９の側面に沿って縦に設けられている。
【００１１】
蓋２は、図１，３に示すように、ゴミ容器本体１の上縁に気密に嵌合する環状の嵌着縁１０を有し、中央部分を開口して逆円錐台形の嵌合部１１を環状に具えた本蓋１２と、本蓋１２の嵌合部１１に内接する逆円錐台形の環状縁１３を具えた開閉蓋１４との組み合わせからなり、日常的には開閉蓋１４のみを開閉してゴミの投入を行い、容器本体１内で肥料化したゴミを移し変えるときに本蓋１２を外すように使用する。
本発明ゴミ容器はこの本蓋１２と開閉蓋１４との組み合わせにより密封による防臭化を損なうことなくゴミの投入時の煩瑣性を解消することができる。
【００１２】
この実施例において、回転筒部５は、側壁５”の上端から延設した複数の逆止爪片１５を固定筒部４の側壁４”の上縁に掛止させることによりその嵌合位置において回転自在に保持されている。
また、回転筒部５は、下部側面に設けたハンドル１６の回動操作により固定筒部４の欠除部４’を開閉する。
【００１３】
なお、図中１７は、ゴミ容器本体１の底部に置いたすのこ、１８は、開閉蓋１４の中央部に形成した把手部である。
【００１４】
【発明の効果】
前記のように構成し、上記のように用いられるようにした本発明によれば、蓋により密閉される容器本体内で、生ゴミから滲出する汚水分を自然分離して排水誘導溝内に滞留させ、適宜に固定筒部と回転筒体とゴム栓を介して外部に汚水のみを排除させつつゴミの堆肥化ができるので、設置場所を選ばずにゴミの少量化とともに無臭化ができ、通常のゴミ容器とほぼ同様の使用のものとでゴミ処理を行う。
本発明には以上のように優れた効果がある。
【図面の簡単な説明】
【図１】図１は実施例を分解して示す一部切欠縦断正面図
【図２】図２の(a) は排水誘導溝の閉鎖状態を示し、同図(b) は開放状態を示す一部切欠拡大平面図
【図３】図３は蓋の閉鎖状態を示す一部切欠拡大側面図である。
【符号の説明】
Ａ  ゴミ容器
１  ゴミ容器本体
２  蓋
３  排水誘導溝
３’  末端部
４  固定筒部
４’  欠除部
４”  側壁
５  回転筒体
５’  欠除部
５”  側壁
６  ゴム栓
７  突条
８  提げ手の取付け部
９  載置台
１０  嵌着縁
１１  嵌合部
１２  本蓋
１３  環状縁
１４  開閉蓋
１５  逆止爪片
１６  ハンドル
１７  すのこ
１８  把手部
【図１】
0003746126.tif 000002
【図２】
0003746126.tif 000003
【図３】
0003746126.tif 000004